【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
電圧制御発振器と、前記電圧制御発振器からの出力を分周する分周器と、外部基準信号と前記分周器からの出力の位相を比較し、位相差信号を出力する位相比較器と、前記位相比較器からの出力を平滑化して前記電圧制御発振器に制御電圧を出力するループフィルタと、外部基準信号を検波する検波回路と、パルス生成の情報が入力されるとパルスを生成して前記ループフィルタに出力するパルス生成回路と、前記電圧制御発振器に出力される制御電圧の値を制御電圧情報として当該制御電圧情報とそれに対応するパルス生成の情報を記憶するメモリと、前記位相比較器と前記ループフィルタとの接続をオン／オフするスイッチと、前記検波回路で検出された外部基準信号のレベルが適正範囲内であれば前記スイッチをオンとし、前記レベルが適正範囲外であれば前記スイッチをオフとして前記メモリに記憶されたパルス生成の情報を前記パルス生成回路に出力する制御部とを有し、
前記パルス生成回路は、パルス幅変調回路であり、前記制御部から出力されるパルス生成の情報は、パルス幅変調デューティーサイクルの情報であることを特徴とする発振周波数制御回路。
【請求項２】
メモリに記憶された制御電圧情報を、電圧制御発振器を制御可能な制御電圧において中心制御電圧の値としたことを特徴とする請求項１記載の発振周波数制御回路。
【請求項３】
メモリには、制御電圧情報とそれに対応するパルス生成の情報を記憶する代わりに、経年変化の時間に対する適正な制御電圧情報とそれに対応するパルス生成の情報を記憶する経年変化特性テーブルを記憶し、
制御部は、内部にタイマーを備えて時間を計測し、外部基準信号のレベルが適正範囲外であるときに、前記メモリの経年変化特性テーブルから計測した時間に応じた制御電圧情報を検索し、検索した制御電圧情報に対応するパルス生成の情報を読み取り、パルス生成回路に出力することを特徴とする請求項１記載の発振周波数制御回路。
【請求項４】
ループフィルタからの出力について電圧レベルを検出して最新の制御電圧情報を制御部に出力するレベル検出回路を設け、
メモリには、制御電圧情報とそれに対応するパルス生成の情報を記憶する代わりに、最新の制御電圧情報と、複数の制御電圧情報とそれに対応するパルス生成の情報を記憶する電圧・パルス生成の情報テーブルを記憶し、
制御部は、前記レベル検出回路から入力された最新の制御電圧情報で前記メモリの最新の制御電圧情報を更新し、外部基準信号のレベルが適正範囲外であるときに、前記メモリの電圧・パルス生成の情報テーブルから最新の制御電圧情報に対応するパルス生成の情報を読み取り、パルス生成回路に出力することを特徴とする請求項１記載の発振周波数制御回路。
【請求項５】
電圧制御発振器の代わりに、電圧制御機能付き水晶発振器、温度補償型の水晶発振器又は電圧制御機能付き恒温槽水晶発振器を用いたことを特徴とする請求項１乃至４のいずれか記載の発振周波数制御回路。
【請求項６】
請求項２記載の発振周波数制御回路を用いた校正方法において、外部基準信号を入力させない状態とし、周波数偏差が上昇又は下降するタイミングで外部基準信号を入力し、その後、外部基準信号の入力を停止することで、制御部が、中心制御電圧の値に従って自走制御し、校正を行うことを特徴とする発振周波数制御回路の校正方法。
【請求項７】
請求項３記載の発振周波数制御回路を用いた校正方法において、外部基準信号を入力させない状態とし、周波数偏差が上昇するタイミングで外部基準信号を入力し、その後、外部基準信号の入力を停止することで、制御部が、経年変化特性テーブルを参照し、計測した時間に応じた制御電圧の値に従って自走制御し、校正を行うことを特徴とする発振周波数制御回路の校正方法。
【手続補正２】
【補正対象書類名】明細書
【補正対象項目名】００１９
【補正方法】変更
【補正の内容】
【００１９】
上記従来例の問題点を解決するための本発明は、発振周波数制御回路において、電圧制御発振器と、電圧制御発振器からの出力を分周する分周器と、外部基準信号と分周器からの出力の位相を比較し、位相差信号を出力する位相比較器と、位相比較器からの出力を平滑化して電圧制御発振器に制御電圧を出力するループフィルタと、外部基準信号を検波する検波回路と、パルス生成の情報が入力されるとパルスを生成して前記ループフィルタに出力するパルス生成回路と、電圧制御発振器に出力される制御電圧の値を制御電圧情報として当該制御電圧情報とそれに対応するパルス生成の情報を記憶するメモリと、位相比較器とループフィルタとの接続をオン／オフするスイッチと、検波回路で検出された外部基準信号のレベルが適正範囲内であればスイッチをオンとし、レベルが適正範囲外であればスイッチをオフとしてメモリに記憶されたパルス生成の情報をパルス生成回路に出力する制御部とを有し、パルス生成回路は、パルス幅変調回路であり、制御部から出力されるパルス生成の情報は、パルス幅変調デューティーサイクルの情報であることを特徴とする。
【手続補正３】
【補正対象書類名】明細書
【補正対象項目名】００２０
【補正方法】変更
【補正の内容】
【００２０】
本発明は、上記発振周波数制御回路において、メモリに記憶された制御電圧情報を、電圧制御発振器を制御可能な制御電圧において中心制御電圧の値としたことを特徴とする。
【手続補正４】
【補正対象書類名】明細書
【補正対象項目名】００２１
【補正方法】変更
【補正の内容】
【００２１】
本発明は、上記発振周波数制御回路において、メモリには、制御電圧情報とそれに対応するパルス生成の情報を記憶する代わりに、経年変化の時間に対する適正な制御電圧情報とそれに対応するパルス生成の情報を記憶する経年変化特性テーブルを記憶し、制御部は、内部にタイマーを備えて時間を計測し、外部基準信号のレベルが適正範囲外であるときに、メモリの経年変化特性テーブルから計測した時間に応じた制御電圧情報を検索し、検索した制御電圧情報に対応するパルス生成の情報を読み取り、パルス生成回路に出力することを特徴とする。
【手続補正５】
【補正対象書類名】明細書
【補正対象項目名】００２２
【補正方法】変更
【補正の内容】
【００２２】
本発明は、上記発振周波数制御回路において、ループフィルタからの出力について電圧レベルを検出して最新の制御電圧情報を制御部に出力するレベル検出回路を設け、メモリには、制御電圧情報とそれに対応するパルス生成の情報を記憶する代わりに、最新の制御電圧情報と、複数の制御電圧情報とそれに対応するパルス生成の情報を記憶する電圧・パルス生成の情報テーブルを記憶し、制御部は、レベル検出回路から入力された最新の制御電圧情報でメモリの最新の制御電圧情報を更新し、外部基準信号のレベルが適正範囲外であるときに、メモリの電圧・パルス生成の情報テーブルから最新の制御電圧情報に対応するパルス生成の情報を読み取り、パルス生成回路に出力することを特徴とする。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】変更
【補正の内容】
【００２５】
本発明は、上記発振周波数制御回路を用いた校正方法において、外部基準信号を入力させない状態とし、周波数偏差が上昇又は下降するタイミングで外部基準信号を入力し、その後、外部基準信号の入力を停止することで、制御部が、中心制御電圧の値に従って自走制御し、校正を行うことを特徴とする。
【手続補正８】
【補正対象書類名】明細書
【補正対象項目名】００２６
【補正方法】変更
【補正の内容】
【００２６】
本発明は、上記発振周波数制御回路を用いた校正方法において、外部基準信号を入力させない状態とし、周波数偏差が上昇するタイミングで外部基準信号を入力し、その後、外部基準信号の入力を停止することで、制御部が、経年変化特性テーブルを参照し、計測した時間に応じた制御電圧の値に従って自走制御し、校正を行うことを特徴とする。
【手続補正９】
【補正対象書類名】明細書
【補正対象項目名】００２７
【補正方法】変更
【補正の内容】
【００２７】
本発明によれば、電圧制御発振器と、電圧制御発振器からの出力を分周する分周器と、外部基準信号と分周器からの出力の位相を比較し、位相差信号を出力する位相比較器と、位相比較器からの出力を平滑化して電圧制御発振器に制御電圧を出力するループフィルタと、外部基準信号を検波する検波回路と、パルス生成の情報が入力されるとパルスを生成して前記ループフィルタに出力するパルス生成回路と、電圧制御発振器に出力される制御電圧の値を制御電圧情報として当該制御電圧情報とそれに対応するパルス生成の情報を記憶するメモリと、位相比較器とループフィルタとの接続をオン／オフするスイッチと、検波回路で検出された外部基準信号のレベルが適正範囲内であればスイッチをオンとし、レベルが適正範囲外であればスイッチをオフとしてメモリに記憶されたパルス生成の情報をパルス生成回路に出力する制御部とを有し、パルス生成回路は、パルス幅変調回路であり、制御部から出力されるパルス生成の情報は、パルス幅変調デューティーサイクルの情報であること周波数発振回路としているので、自己の周波数を補正し、高安定な基準信号の入力がなく、自走したときでも発振周波数を安定に保つことができる効果がある。
【手続補正１０】
【補正対象書類名】明細書
【補正対象項目名】００２８
【補正方法】変更
【補正の内容】
【００２８】
本発明によれば、上記発振周波数制御回路において、メモリに記憶された制御電圧情報を、電圧制御発振器を制御可能な制御電圧において中心制御電圧の値とした上記周波数発振回路としているので、自己の周波数を補正し、発振周波数を安定に保つことができる効果がある。
【手続補正１１】
【補正対象書類名】明細書
【補正対象項目名】００２９
【補正方法】変更
【補正の内容】
【００２９】
本発明によれば、メモリには、制御電圧情報とそれに対応するパルス生成の情報を記憶する代わりに、経年変化の時間に対する適正な制御電圧情報とそれに対応するパルス生成の情報を記憶する経年変化特性テーブルを記憶し、制御部は、内部にタイマーを備えて時間を計測し、外部基準信号のレベルが適正範囲外であるときに、メモリの経年変化特性テーブルから計測した時間に応じた制御電圧情報を検索し、検索した制御電圧情報に対応するパルス生成の情報を読み取り、パルス生成回路に出力する上記発振周波数制御回路としているので、周波数補正を経年変化に対応させることができる効果がある。
【手続補正１２】
【補正対象書類名】明細書
【補正対象項目名】００３０
【補正方法】変更
【補正の内容】
【００３０】
本発明によれば、ループフィルタからの出力について電圧レベルを検出して最新の制御電圧情報を制御部に出力するレベル検出回路を設け、メモリには、制御電圧情報とそれに対応するパルス生成の情報を記憶する代わりに、最新の制御電圧情報と、複数の制御電圧情報とそれに対応するパルス生成の情報を記憶する電圧・パルス生成の情報テーブルを記憶し、制御部は、レベル検出回路から入力された最新の制御電圧情報でメモリの最新の制御電圧情報を更新し、外部基準信号のレベルが適正範囲外であるときに、メモリの電圧・パルス生成の情報テーブルから最新の制御電圧情報に対応するパルス生成の情報を読み取り、パルス生成回路に出力する上記発振周波数制御回路としているので、基準信号の入力がなく、自走したときでもそれまでの状態を引き継いで発振周波数を安定に保つことができる効果がある。
【手続補正１３】
【補正対象書類名】明細書
【補正対象項目名】００３１
【補正方法】変更
【補正の内容】
【００３１】
本発明によれば、外部基準信号を入力させない状態とし、周波数偏差が上昇又は下降するタイミングで外部基準信号を入力し、その後、外部基準信号の入力を停止することで、制御部が、中心制御電圧の値に従って自走制御し、校正を行う上記発振周波数制御回路を用いた校正方法としているので、特別の装置を用いなくても校正できる効果がある。
【手続補正１４】
【補正対象書類名】明細書
【補正対象項目名】００３２
【補正方法】変更
【補正の内容】
【００３２】
本発明によれば、外部基準信号を入力させない状態とし、周波数偏差が上昇するタイミングで外部基準信号を入力し、その後、外部基準信号の入力を停止することで、制御部が、経年変化特性テーブルを参照し、計測した時間に応じた制御電圧の値に従って自走制御し、校正を行う上記発振周波数制御回路を用いた校正方法としているので、特別の装置を用いることなく、経年変化に対応した校正ができる効果がある。